(57)【要約】【課題】基礎用配筋の設置作業を妨げずにアンカーボルトを配置でき、アンカーボルト設置作業のみならず、その後の配筋作業やコンクリート打設作業も容易にする建築構造用アンカーボルトサポート工法及び装置を提供する。【解決手段】墨出し工程１００により、基礎Ｑ設置位置上に、アンカーボルトＡの設置間隔を示すと共に、固定用プレート６を固定する。吊り込み工程２００により構築されたアンカーフレーム１を基礎Ｑ設置位置上に吊り込む。芯出し工程３００により吊り込んだアンカーフレーム１の設置位置を墨出し位置に調整する。レベル調整工程４００によりアンカーボルトＡの高さを脚部５の長さで調整する。フレーム固定工程５００によりレベル調整後のアンカーフレーム１を固定用プレート６上に固定する。再調整工程６００により配筋作業後に各アンカーボルトＡの位置を再調整する。【選択図】図５
2008267030.tif 000002
【特許請求の範囲】
【請求項１】
複数本のアンカーボルトの上部を、予め所定の設置間隔でテンプレートと補助フレームにて保持し、アンカーボルトを所定の高さに調整支持する脚部をアンカーボルトのいずれか下端部に連結したアンカーフレームを建築構造物の基礎設置位置に支持固定するアンカーボルトサポート工法であって、基礎設置位置上に、アンカーボルトの設置間隔を示すと共に、該設置間隔に固定用プレートを固定する墨出し工程と、構築されたアンカーフレームを基礎設置位置上に吊り込む吊り込み工程と、吊り込んだアンカーフレームの設置位置を墨出し位置に調整する芯出し工程と、アンカーフレームの高さを脚部の長さで調整するレベル調整工程と、レベル調整後のアンカーフレームを固定用プレート上に固定するフレーム固定工程と、配筋作業後に各アンカーボルトの位置を再調整する再調整工程と、からなることを特徴とする建築構造用アンカーボルトサポート工法。
【請求項２】
前記フレーム固定工程において、捨てコンクリート上に施された前記墨出し工程の墨出し位置に基づいてアンカーボルトの設置位置に固定用プレートをアンカーで固定し、該固定用プレートにアンカーフレームの脚部を溶接する請求項１記載の建築構造用アンカーボルトサポート工法。
【請求項３】
前記レベル調整工程において、前記アンカーフレームの脚部とアンカーボルトとの間にカプラーを連結し、脚部の長さを調整することでアンカーボルトの高さを調整する請求項１記載の建築構造用アンカーボルトサポート工法。
【請求項４】
前記再調整工程において、アンカーフレームのテンプレート周辺の配筋に固定具をネジ止め固定し、該固定具とテンプレートとに溶接する調整部材によりアンカーボルトの位置を微調整する請求項１記載の建築構造用アンカーボルトサポート工法。
【請求項５】
建築構造物の基礎設置位置にアンカーボルトを支持固定するアンカーボルトサポート装置において、複数本のアンカーボルトの上部を、予め所定の設置間隔でテンプレートに連結すると共に、アンカーボルトの下部をテンプレートと同じ間隔で補助フレームにて保持し、アンカーボルトを所定の高さに調整支持する脚部をアンカーボルトのいずれか下端部に連結することで、基礎設置位置上に吊り込まれるアンカーフレームを設け、脚部とアンカーボルトとの間に高さ調整用のカプラーを連結し、該脚部の回転操作によりアンカーボルトの高さを調整するように設けたことを特徴とする建築構造用アンカーボルトサポート装置。
【請求項６】
前記テンプレートに溶接する調整部材と、アンカーボルトの周囲に配設された配筋にネジ止め固定する固定具とを設け、該固定具と調整部材とを溶接して配筋後のアンカーボルトの位置を再調整するように設けた請求項５記載の建築構造用アンカーボルトサポート装置。
【発明の詳細な説明】
【技術分野】
【０００１】
本発明は、建築構造物の基礎にアンカーボルトを施工する建築構造用アンカーボルトサポート工法及び装置に係り、基礎用配筋の設置作業を妨げず、極めて容易にアンカーボルトを設置することができる建築構造用アンカーボルトサポート工法及び装置に関するものである。
【背景技術】
【０００２】
建築構造用のアンカーボルトを基礎に固定するため、予め工場等で組み立てた支持フレーム等を基礎設置位置に設置し、この支持フレームにアンカーボルトを固定する工法が特許文献１及び特許文献３に記載されている。
【０００３】
特許文献１は、アンカーボルト据付治具及び据付方法に関するもので、基礎設置位置に伸縮自在な治具支柱を設置し、この治具支柱の上端部に設けた十字状のテンプレート受けにテンプレートを設置すると共に、該テンプレートにアンカーボルトを挿通するものである。
【０００４】
特許文献２は、アンカー用フレーム及びそれを用いた基礎の施工方法に係り、基礎設置位置にまず下部フレームを設置し、次に、この下部フレームの上端部にアンカーボルトを備えた上部フレームを連結する工法である。
【０００５】
特許文献３は、アンカーボルト固定装置に関するもので、複数本のアンカーボルトを所定の間隔に保持するテンプレートと、アンカーボルトの下に配設した補助フレームを介してアンカーボルトを連結支持するアンカー保持部と、アンカー保持部の下端に連結する連結枠体と、更に連結枠体の下方に連結する調整用ボルトとからなるものである。
【特許文献１】特開平７−２０７９４４号公報
【特許文献２】特開平７−２９２６８３号公報
【特許文献３】特開２００２−１６７７７３号公報
【発明の開示】
【発明が解決しようとする課題】
【０００６】
基礎を構築するには、基礎用の配筋等の他に、地中梁用の配筋等も組み付けることになる。このため、これらの配筋等がアンカーボルトを固定する支持フレームと交錯するので、支持フレームを組み立てるスペースが限られるものである。ところが、特許文献１及び特許文献２の工法では、このような地中梁用の配筋等に干渉する位置に治具支柱や下部フレーム等が設置されるので、これらの工法の後に行われる配筋作業に極めて多くの不都合が生じることになる。
【０００７】
また、特許文献１及び特許文献２に示される工法によると、いずれも基礎設置位置に治具支柱や下部フレームを設置し、その後にアンカーボルトを連結する工法であるから、アンカーボルトを連結するまでの工程が多くなり、しかも、後付のアンカーボルトの位置を正確に調整する作業にも多くの手間が必要になる。
【０００８】
更に、特許文献１及び特許文献２の工法では、基礎設置位置が常に平坦である必要があり、基礎設置位置の一部が隆起しているような条件では使用できない不都合がある。すなわち、特許文献１では平板状の治具受けプレートを捨てコンクリート上に設置し、特許文献２では一対の据付板を捨てコンクリート上に設置するものである。したがって、基礎設置位置に杭頭が突出している場合など、基礎設置位置が平坦でない場合にはこれらの治具受けプレートや据付板の設置が不可能になるものである。
【０００９】
また、特許文献３のアンカーボルト固定装置によると、アンカーボルトを支持するために、テンプレートのほかに、補助フレームや連結枠体、調整用ボルトなど、数多くの部材を配しているので、これらの部材の連結作業に多くの手間を要していた。しかも、これらの連結枠体や調整用ボルト等の各部材が、その後の配筋作業や、コンクリート打設作業の妨げになる不都合が生じるものであった。
【００１０】
更に、特許文献３では、固定装置設置後の配筋作業によって、アンカーボルトの設置位置に狂いが生じた場合に、改めて位置を調整する必要が生じる。ところが、連結枠体や補助フレームなどによってアンカーボルトが強固に支持されているので、配筋作業の後ではより強力な固定状態になり、アンカーボルトを再調整する作業が困難になっていた。
【００１１】
そこで、本発明は、上述の課題を解消すべく案出されたもので、基礎用配筋の設置作業を妨げずにアンカーボルトを配置でき、しかも、アンカーボルト設置作業のみならず、その後の配筋作業やコンクリート打設作業も容易にすることができる建築構造用アンカーボルトサポート工法及び装置の提供を目的とするものである。
【課題を解決するための手段】
【００１２】
上述の目的を達成すべく本発明の第１の手段は、複数本のアンカーボルトＡの上部を、予め所定の設置間隔でテンプレート２と補助フレーム３にて保持し、アンカーボルトＡを所定の高さに調整支持する脚部５をアンカーボルトＡのいずれか下端部に連結したアンカーフレーム１を建築構造物Ｐの基礎Ｑ設置位置に支持固定するアンカーボルトサポート工法であって、基礎Ｑ設置位置上に、アンカーボルトＡの設置間隔を示すと共に、該設置間隔に固定用プレート６を固定する墨出し工程１００と、構築されたアンカーフレーム１を基礎Ｑ設置位置上に吊り込む吊り込み工程２００と、吊り込んだアンカーフレーム１の設置位置を墨出し位置に調整する芯出し工程３００と、アンカーフレーム１の高さを脚部５の長さで調整するレベル調整工程４００と、レベル調整後のアンカーフレーム１を固定用プレート６上に固定するフレーム固定工程５００と、配筋作業後に各アンカーボルトＡの位置を再調整する再調整工程６００と、からなる工法にある。
【００１３】
第２の手段は、前記フレーム固定工程５００において、捨てコンクリートＲ上に施された前記墨出し工程１００の墨出し位置に基づいてアンカーボルトＡの設置位置に固定用プレート６をアンカーボルトＡで固定し、該固定用プレート６にアンカーフレーム１の脚部５を溶接するものである。
【００１４】
第３の手段は、前記レベル調整工程４００において、前記アンカーフレーム１の脚部５とアンカーボルトＡとの間にカプラー４を連結し、脚部５の長さを調整することでアンカーボルトＡの高さを調整する。
【００１５】
第４の手段は、前記再調整工程６００において、アンカーフレーム１のテンプレート２周辺の配筋Ｓに固定具８をネジ止め固定し、該固定具８とテンプレート２とに溶接する調整部材９によりアンカーボルトＡの位置を微調整するものである。
【００１６】
第５の手段は、建築構造物Ｐの基礎Ｑ設置位置にアンカーボルトＡを支持固定するアンカーボルトサポート装置において、複数本のアンカーボルトＡの上部を、予め所定の設置間隔でテンプレート２に連結すると共に、アンカーボルトＡの下部をテンプレート２と同じ間隔で補助フレーム３にて保持し、アンカーボルトＡを所定の高さに調整支持する脚部５をアンカーボルトＡのいずれか下端部に連結することで、基礎Ｑ設置位置上に吊り込まれるアンカーフレーム１を設け、脚部５とアンカーボルトＡとの間に高さ調整用のカプラー４を連結し、脚部５の回転操作によりアンカーボルトＡの高さを調整する装置を設けることにある。
【００１７】
第６の手段は、前記テンプレート２に溶接する調整部材９と、アンカーボルトＡの周囲に配設された配筋Ｓにネジ止め固定する固定具８とを設け、該固定具８と調整部材９とを溶接して配筋後のアンカーボルトＡの位置を再調整するように設けたことを課題解消のための手段とする。
【発明の効果】
【００１８】
本発明の請求項１の工法によると、工場でセットされたアンカーフレーム１を現場で吊り込んで位置調整し、固定するものであるから、複数本のアンカーボルトＡを基礎Ｑ内に極めて容易に且つ正確に設置することができる。
【００１９】
しかも、芯出し工程３００とレベル調整工程４００によってアンカーフレーム１の位置を調整し、フレーム固定工程５００でアンカーフレーム１を固定するので、アンカーフレーム１を現場で吊り込んでからから固定するまでの作業を極めて簡略化することができる。
【００２０】
また、アンカーフレーム１の脚部５は、アンカーボルトＡの鉛直下方に連結されているので、基礎用配筋の設置作業を妨げずにアンカーボルトを配置することができる。更に、テンプレート２にセットしたアンカーボルトＡのいずれかを選択して脚部５を連結できるので、基礎の下端部周辺に複雑に配置された配筋や床面に段差が生じている場合でも、これらの障害物を避けて設置することが可能になるものである。
【００２１】
請求項２のフレーム固定工程５００によると、捨てコンクリートＲ上に施された前記墨出し工程１００の墨出し位置に基づいてアンカーボルトＡの設置位置に固定用プレート６をアンカー６Ａで固定し、該固定用プレート６にアンカーフレーム１の脚部５を溶接するので、アンカーフレーム１を基礎Ｑの所定位置に強固に固定することができる。
【００２２】
請求項３のレベル調整工程４００において、前記アンカーフレーム１の脚部５とアンカーボルトＡとの間にカプラー４を連結し、脚部５の長さ調整でアンカーボルトＡの高さを調整するので、作業員は、作業しやすい位置での高さ調整作業が可能になり、レベル調整工程４００を容易に行うことができる。
【００２３】
請求項４の再調整工程６００によると、アンカーフレーム１のテンプレート２周辺の配筋Ｓに固定具８をネジ止め固定し、該固定具８とテンプレート２とに溶接する調整部材９によりアンカーボルトＡの位置を調整するものであるから、配筋作業によって僅かな狂いが生じても、正確な位置に再調整することができる。
【００２４】
請求項５に記載の装置によると、極めてシンプルな構成のアンカーフレーム１によってアンカーボルトＡをサポートすることが可能になった。この結果、アンカーフレーム１設置後の配筋作業が容易になり、しかも、コンクリート打設時における各部への流入をスムーズに行うことができる。
【００２５】
また、カプラー４の装着により脚部５の長さを調整することでアンカーボルトＡの高さを調整できるので、アンカーボルトＡの高さ調整や水平調整を容易に行うことができる。また、カプラー４は脚部５の上部に位置しているので、脚部５の長さ調整作業が行い易い位置になっている。
【００２６】
請求項６によると、固定具８と調整部材９とにより、配筋作業後のアンカーボルトＡを再調整することが可能になる。しかも、調整部材９は、テンプレート２に溶接していても、固定具８によって配筋に溶接しなくて済むので、配筋の劣化を招くおそれもない。したがって、アンカーボルトＡを正確な位置に強固に固定すると共に、コンクリート打設の際に生じ易いアンカーボルトＡの位置ずれなどの不具合を確実に防止する。このとき、アンカーボルトＡは、シンプルな構造のアンカーフレーム１に支持されているので、配筋作業後の再調整を容易に行うことができるものである。
【００２７】
このように本発明によると、基礎用配筋の設置作業を妨げずにアンカーボルトを配置でき、しかも、アンカーボルト設置作業のみならず、その後の配筋作業やコンクリート打設作業も容易にすることができるなどといった産業上有益な種々の効果を奏するものである。
【発明を実施するための最良の形態】
【００２８】
本発明の最良の形態は、墨出し工程１００により、基礎Ｑ設置位置上に、アンカーボルトＡの設置間隔を示すと共に、該設置間隔に固定用プレート６を固定する。吊り込み工程２００により、構築されたアンカーフレーム１を基礎Ｑ設置位置上に吊り込む。芯出し工程３００により、吊り込んだアンカーフレーム１の設置位置を墨出し位置に調整する。レベル調整工程４００により、アンカーフレーム１の脚部５とアンカーボルトＡとの間にカプラー４を連結し、脚部５の長さを調整してアンカーボルトＡの高さを調整する。フレーム固定工程５００により、捨てコンクリートＲ上に施された前記墨出し工程１００の墨出し位置に基づいてアンカーボルトＡの設置位置に固定用プレート６を固定し、該固定用プレート６にアンカーフレーム１の脚部５を溶接する。再調整工程６００により、アンカーフレーム１のテンプレート２周辺の配筋Ｓに固定具８を固定し、該固定具８とテンプレート２とに連結する調整部材９によりアンカーボルトＡの位置を微調整する工法によって、当初の目的を達成するものである。
【実施例】
【００２９】
以下、本発明を図示例に基づいて説明する。本発明工法は、複数本のアンカーボルトＡを所定の間隔に支持するアンカーフレーム１を用いる工法である。そこで、便宜上、このアンカーフレーム１からなる本発明装置から説明する。
【００３０】
アンカーフレーム１は、建築構造物Ｐの基礎Ｑ設置位置にアンカーボルトＡを固定するフレーム部材であり、主な構成は、テンプレート２、補助フレーム３、カプラー４、脚部５にて構成される。
【００３１】
テンプレート２は、複数本のアンカーボルトＡの上部を、予め所定の設置間隔で連結する部材である。このテンプレート２には、アンカーボルトＡの上部を設計に基づいた所定間隔に配置する挿通孔２Ａを開穿してあり、この挿通孔２Ａに挿通したアンカーボルトＡを固定ナット２Ｂでテンプレート２に固定する（図２参照）。図示のテンプレート２は、挿通孔２Ａを開穿した短冊状の基板２Ｃを４枚組み合わせて環状に連結したものを使用している（図３参照）。このようなテンプレート２により、挿通孔２Ａの間隔設定が正確になり、テンプレート２の強度を高めることもできる。
【００３２】
補助フレーム３は、アンカーボルトＡの下部をテンプレート２と同じ間隔で保持する部材である。この補助フレーム３はテンプレート２と同じ構成を成し、アンカーボルトＡの下部に配設している（図２参照）。すなわち、テンプレート２と同様に、補助フレーム３に形成した挿通孔３ＡにアンカーボルトＡを挿通し、固定ナット３Ｂで補助フレーム３に固定する。図示例では、補助フレーム３の挿通孔３Ａ上面に定着板７を設け、アンカーボルトＡの下部にネジ止めされた固定ナット３Ｂと該定着板７とを、補助フレーム３側に押圧固定するように設けている。
【００３３】
カプラー４は、脚部５とアンカーボルトＡとの間に連結した部材であり、該カプラー４に連結した脚部５の長さを調整することでアンカーボルトＡの高さを調整する（図４参照）。図示のカプラー４は、筒状体４Ａの上下端部に一対の連結ナット４Ｂを固着すると共に、該筒状体４Ａの側壁を貫通する貫通孔４Ｃを設けたものである。径の大きなカプラー４を使用する場合、この貫通孔４Ｃから筒状体４Ａの内部にモルタル上の充填物を充填することで、筒状体４Ａ内の空間をなくすことができる。さらに、小径の筒状体４Ａを使用する場合は貫通孔４Ｃを設けなくても良い。
【００３４】
このカプラー４において、上下の連結ナット４Ｂの径やピッチを変えて固着することも可能である（図４(イ)、(ロ)参照）。このようなカプラー４を用意することにより、径やピッチの異なるアンカーボルトＡと脚部５とを連結することが可能になる。また、アンカーボルトＡの径が比較的細い場合などでは、カプラー４として長ナットの使用も可能になる。
【００３５】
脚部５は、アンカーボルトＡを所定の高さに調整支持する部材であり、この脚部５をアンカーボルトＡのいずれか下端部に連結することで、基礎Ｑ設置位置上に吊り込まれるアンカーフレーム１を設けている（図２参照）。このとき、脚部５やアンカーボルトＡに丸鋼を使用することで、コンクリートの流入性を良好にすることができる。また、脚部５にボルト部材を用いることも可能である。さらに、脚部５の下端部を先鋭状にした場合、脚部５を回転させて長さ調整をする作業を容易になる（図１０（ロ)参照）。また、脚部５の下端部を平坦にすると、固定用プレート６との接合性を高めることができる（図２参照）。
【００３６】
固定用プレート６は、例えば基礎Ｑ設置位置に予め敷設された捨てコンクリートＲの上に固定されるもので、図示例では、アンカー６Ａで固定している（図２参照）。また、各脚部５の位置にそれぞれ固定用プレート６を配する他、複数の脚部５を固定する一対の帯状固定用プレート６や、１枚の固定用プレート６を使用するなど、固定用プレート６の設置数は任意に変更することができる（図示せず）。
【００３７】
そして、固定用プレート６上で、脚部５を回転させて脚部５の長さを調整することで、アンカーボルトＡの高さを調整する。図２に示す脚部５には、回転操作後に固定する操作ナット５Ａを装着している。アンカーボルトＡの高さを調整した後は、脚部５の下端を固定用プレート６に溶接して固定する。
【００３８】
固定具８は、アンカーボルトＡの周囲に配設された配筋Ｓにネジ止め固定する金具である。また、調整部材９は、この固定具８と前述したテンプレート２とに溶接するもので、配筋後のアンカーボルトＡの位置を再調整する（図１２参照）。図示の固定具８は、配筋Ｓの側面に装着するＵ字金具８Ａと、このＵ字金具８Ａから配筋Ｓに圧着する圧着ボルト８Ｂからなる（図１２(ロ)参照）。一方、調整部材９は棒状の部材で、再調整した位置でアンカーボルトＡを固定するように溶接される（図１２(イ)参照）。また、溶接手段の代わりに、固定具８やテンプレート２のいずれか又は両方に、調整部材９を連結する連結構造を設けてもよい。
【００３９】
本発明工法は、次の工程からなる。すなわち、墨出し工程１００、吊り込み工程２００、芯出し工程３００、レベル調整工程４００、フレーム固定工程５００、再調整工程６００である。
【００４０】
墨出し工程１００は、基礎Ｑ設置位置上に墨付けを行い、アンカーボルトＡの設置間隔を示すと共に、この墨付け位置を基準として、固定用プレート６を設置間隔に固定する工程である（図６参照）。このとき、墨付けは、基礎Ｑ設置位置上の捨てコンクリートＲや耐圧板、あるいは杭頭Ｕ等に行われる（図６(イ)参照）。また、固定用プレート６を杭頭Ｕに設置しなければならない場合は、この杭頭Ｕの鉄板に固定用プレート６を直接溶接する。この場合、杭筋Ｔの位置を避ける必要がある（図６(ロ)参照）。
【００４１】
吊り込み工程２００は、クレーンなどの重機を使用してアンカーフレーム１を基礎Ｑ設置位置上に吊り込む工程である（図７参照）。このとき、基礎Ｑ設置位置に段差がある場合は、予め脚部５の長さを調整しておき、設置後、脚部５の操作でアンカーボルトＡの微調整を行うようにする（図７(ロ)参照）。また、杭筋Ｔ等が露出している場合は、この杭筋Ｔが妨げにならないように曲げてアンカーフレーム１を設置する（図７(ハ)参照）。更に、脚部５の連結位置は任意に変えることができるので、障害物が妨げにならいない位置に連結する（図８参照）。
【００４２】
芯出し工程３００は、吊り込んだアンカーフレーム１の設置位置を墨出し位置に調整する工程である（図９参照）。この工程では、テンプレート２の位置出し用の基準位置に下げ振り１０をセットし、基礎Ｑ設置位置の墨付け位置を利用してアンカーフレーム１の前後、左右の位置を調整する。
【００４３】
レベル調整工程４００は、アンカーボルトＡの高さを脚部５の長さで調整する工程である（図１０参照）。この工程において、アンカーフレーム１のカプラー４に連結した脚部５の回転操作によりアンカーボルトＡの高さおよび水平を調整する（図１０(ロ)参照）。
【００４４】
フレーム固定工程５００は、レベル調整後のアンカーフレーム１を基礎Ｑ設置位置上に固定する工程である。この工程の前に、捨てコンクリートＲ上に施された前記墨出し工程の墨出し位置に基づいて固定用プレート６がアンカー６Ａで予め固定されている。フレーム固定工程５００は、この固定用プレート６にアンカーフレーム１の脚部５を溶接する工程である。
【００４５】
図１１は、配筋作業が終了した状態を示している。これらの配筋Ｓは、設計段階からアンカーボルトＡや脚部５に干渉しない位置に設置されるものであるから、アンカーフレーム１が配筋作業の妨げにならずに済む（図１１(ハ)参照）。但し、配筋作業時に、これらの配筋ＳがアンカーボルトＡに接触するなどの理由から、アンカーボルトＡの位置が僅かにずれる場合がある。このため、後述する再調整工程６００により、アンカーボルトＡの位置を正確な位置に戻すものである。
【００４６】
したがって、再調整工程６００は、配筋作業後に各アンカーボルトＡの位置を再調整する工程である（図１２参照）。この工程では、テンプレート２周辺に配された配筋Ｓに固定具８を固定し、該固定具８とテンプレート２とに溶接する調整部材９によりアンカーボルトＡの位置を微調整するものである（図１２(イ)参照）。このとき、固定具８を配筋Ｓに溶接することは、配筋Ｓの強度が劣化するので好ましくない。そこで、固定具８は、配筋Ｓにネジ止めできる構造のものを使用する（図１２(ロ)参照）。また、コンクリート打設後は、アンカーフレーム１からテンプレート２と調整部材９が外され、代わりに鉄骨を連結するベースプレートＴが装着される（図１参照）。
【００４７】
尚、本発明は図示例に限定されるものではなく、本発明の要旨を変更しない範囲で任意に変更することができるものである。
【図面の簡単な説明】
【００４８】
【図１】本発明の使用状態を示す正断面図である。
【図２】本発明の使用状態を示す正面図である。
【図３】本発明のテンプレートを示す平面図である。
【図４】本発明のカプラーの他の実施例を示す正面図である。
【図５】本発明の作業手順を示す工程図である。
【図６】本発明の墨出し工程を示し、(イ)は側面図、(ロ)は平面図である。
【図７】本発明の吊り込み工程を示す側面図である。
【図８】本発明の脚部と固定用プレートとの変更例を示し、(イ)は側面図(ロ)は平面図である。
【図９】本発明の芯出し工程を示す側面図である。
【図１０】本発明のレベル調整工程を示す側面図である。
【図１１】本発明における配筋作業後を示し、(イ)、 (ロ)は側面図、(ハ)は平面図である。
【図１２】本発明の再調整工程を示し、(イ)は側面図、(ロ)は固定具の説明図である。
【符号の説明】
【００４９】
Ａ アンカーボルト
Ｐ 建築構造物
Ｑ 基礎
Ｒ 捨てコンクリート
Ｓ 配筋
Ｔ 杭筋
Ｕ 杭頭
１ アンカーフレーム
２ テンプレート
２Ａ 挿通孔
２Ｂ 固定ナット
２Ｃ 基板
３ 補助フレーム   
３Ａ 挿通孔
３Ｂ 固定ナット
４ カプラー
４Ａ 筒状体
４Ｂ 連結ナット
４Ｃ 貫通孔
５ 脚部
５Ａ 操作ナット
６ 固定用プレート
６Ａ アンカー
７ 定着板
８ 固定具
８Ａ Ｕ字金具
８Ｂ 圧着ボルト
９ 調整部材
１０ 下げ振り
【図１】
2008267030.tif 000003
【図２】
2008267030.tif 000004
【図３】
2008267030.tif 000005
【図４】
2008267030.tif 000006
【図５】
2008267030.tif 000007
【図６】
2008267030.tif 000008
【図７】
2008267030.tif 000009
【図８】
2008267030.tif 000010
【図９】
2008267030.tif 000011
【図１０】
2008267030.tif 000012
【図１１】
2008267030.tif 000013
【図１２】
2008267030.tif 000014